(57)【要約】【課題】物品の出し入れ口を封止状態に保てて収容物の漏れ出しを防げ、上蓋をケース本体より側方に回転させ易く、上蓋の度重なる回転に伴っても出し入れ口の傷付きや摩耗の生じない物品収納用容器を提供する。【解決手段】物品の出し入れ口４ｂを開口した天面を主室函１０の縁回り面よりも高位の段差を保って内蓋４ａを主室函１０の室内に嵌め合わせ、内蓋４ａの段差回りに嵌り合う周回り壁２２ａを含むケース本体１の囲い壁２２を上蓋２の裏面に設け、上蓋２をケース本体１と平行の上昇方向で内蓋４ａの天面よりも高位に偏倚する圧縮コイルバネ６を支軸２０の軸線上と裏蓋３の板面との間に介装し、圧縮コイルバネ６の偏倚に抗して上蓋２を掛け止めるフック５ａ，５ｂを副室函１１の室内で支軸２０の起立位置よりも主室函寄りにボタン操作で掛け外し可能に設けた。【選択図】図１
2009107697.tif 000002
【特許請求の範囲】
【請求項１】
天面側を開放した主室函と隔室し、裏面側を開放した副室函を主室函の片側部に設けたケース本体と、主室函，副室函を含むケース本体の上側に被る上蓋と、副室函の開放口を閉鎖する裏蓋とを備え、上蓋の裏面より起立する支軸を副室函の天面に開孔する軸受け孔から副室函の室内に組み付け、支軸を中心に、上蓋をケース本体より側方に回転させて開蓋可能に組み立てる回転開蓋型の物品収納用容器において、
物品の出し入れ口を開口した天面を主室函の縁回り面よりも高位の段差を保って内蓋を主室函の室内に嵌め合わせ、内蓋の段差回りに嵌り合う周回り壁を含むケース本体の囲い壁を上蓋の裏面に設け、
上蓋をケース本体と平行の上昇方向で内蓋の天面よりも高位に偏倚する圧縮コイルバネを支軸の軸線上と裏蓋の板面との間に介装し、圧縮コイルバネの偏倚に抗して上蓋を掛け止めるフックを副室函の室内で支軸の起立位置よりも主室函寄りにボタン操作で掛け外し可能に設けたことを特徴とする回転開蓋型の物品収納用容器。
【請求項２】
支軸の回転ベース板を兼ね、圧縮コイルバネの片バネ端を受け止めるリング鍔を支軸の軸線上に嵌込み固定したことを特徴とする請求項１に記載の物品収納用容器。
【請求項３】
上蓋の上昇偏倚より経時的に引き続き、上蓋を側方に回転偏倚する捩り圧縮コイルバネを支軸の軸線上と裏蓋の板面との間に介装したことを特徴とする請求項１または２に記載の物品収納用容器。
【請求項４】
副室函の天面に開口した抜き穴から上端側を上蓋の内側に突出する撓み変位可能な短冊板を基体とし、上蓋の囲い壁より内方に突出する張出し縁と係合する掛止め爪を短冊板の上端側に設け、副室函の壁側面に開口したボタン穴にボタン押圧で没入可能に嵌め合わす押しボタンを短冊板の中腹辺に設け、押しボタンの反対側より短冊板を弾圧支持する伸長コイルバネを副室函の室内壁との間に掛け渡し、掛止め爪をボタン押圧で上蓋の張出し縁より掛け外し可能なフックを裏蓋の板面に立付け固定したことを特徴とする請求項１に記載の物品収納用容器。
【請求項５】
支軸の起立位置を介し、上蓋を掛け止めるフックを副室函の室内で相対する裏蓋の板面両側に立付け固定したことを特徴とする請求項５に記載の物品収納用容器。
【請求項６】
押圧面を副室函の壁外面と面一に保ってボタン穴に嵌め合わす押しボタンを指先腹による押圧で没入可能に設けたことを特徴とする請求項４または５に記載の物品収納用容器。
【発明の詳細な説明】
【技術分野】
【０００１】
本発明は、上蓋をケース本体より側方に回転させて開蓋可能に組み立てる物品収納用容器に関するものである。
【背景技術】
【０００２】
従来、携帯用灰皿を物品収納容器として例示すると、天面側を開放した主室函と隔室し、裏面側を開放した副室函を主室函の片側部に設けたケース本体と、主室函，副室函を含むケース本体の上側に被るケース蓋とを備え、ケース蓋の裏面より起立する支軸を副室函の天面に開孔する軸受け孔から室内に組み付け、支軸を中心に、上蓋をケース本体より側方に回転させて開蓋可能なものが提案されている（特許文献１）。
【０００３】
特許文献１の灰皿は、ケース本体の周側壁と平面的に同形で平板状のケース蓋を備え、副室函の室内で支軸の軸線上に嵌装する圧縮コイルバネによりケース蓋をケース本体の縁回り面に圧接させてケース本体の開放口をケース蓋で閉鎖状態に保つよう構成されている。
【０００４】
その灰皿では、ケース蓋がケース本体の縁回り面に嵌り合いなく単に被っているものであるため、支軸を中心に、ケース蓋をケース本体より側方に回転させ易い。然し、ケース蓋が圧縮コイルバネでケース本体の縁回り面に圧接されていても、ケース蓋の主室函側が浮き上がることから封止状態に保つのは難しい。このため、灰が漏れ出す虞があり、また、ケース蓋が不用意にズレ回転してしまうことも避けられない。
【０００５】
上述した他に、吸殻の出し入れ口を天面に開口したアッパーケースと受け皿状のロアケースとからなるケース本体と、アッパーケースの上側に被さるケース蓋とを備え、相嵌り合う平面円形の凹陥部をケース蓋とアッパーケースとの天面で相対する片端寄りに設け、圧縮コイルバネをケース蓋の凹陥部と該凹陥部の内側に嵌り合うバネ蓋との間に介装させて支軸ネジをアッパーケースの内側よりバネ蓋のボス部に螺入することから、ケース蓋を凹陥部相互の回転ズレでケース本体より側方に開蓋可能なものも提案されている（特許文献２）。
【０００６】
特許文献２の灰皿では、ケース蓋を圧縮コイルバネでアッパーケースに圧接するに加えて、アッパーケースの天面に開口した出し入れ口の口回りをテーパ状に面取りしたシール面として形成すると共に、出し入れ口のシール面に嵌り合う突出壁をケース蓋の裏面に設けることから、吸殻の出し入れ口を突出壁で封止可能に構成されている。
【０００７】
その灰皿は、吸殻の出し入れ口を突出壁で封止状態に保てるが、ケース蓋をケース本体より側方に回転させて開蓋するに、ケース蓋の突出壁を出し入れ口のシール面との嵌り合い状態から抉り上げて回転させなければならないため、ケース蓋を回転させ難いばかりでなく、出し入れ口の口回り，突出壁がケース蓋の度重なる回転で傷付き乃至は摩耗する事態を招き易い。
【０００８】
特許文献２の灰皿と同様に、アッパーケースとロアケースとからなるケース本体を備え、吸殻の出し入れ口をアッパーケースの天面で片端寄りに半円状に開口し、吸殻の出し入れ口を閉鎖する半円板状の蓋板を蓋板の支軸に嵌装する圧縮コイルバネでアッパーケースの口回りに圧接すると共に、相嵌り合う凹状，凸状の封止縁を出し入れ口，蓋板の相対周回り設けたものが提案されている（特許文献３）。
【０００９】
その灰皿は、吸殻の出し入れ口を蓋板との封止縁で閉鎖状態に保てるが、蓋板をケース本体より側方に回転させて開蓋するに、特許文献２の灰皿と同様に、蓋板と出し入れ口の封止縁を嵌り合い状態から抉り上げて回転させなければならない。
【特許文献１】特開２０００−４１６５３
【特許文献２】特開２０００−３７１８３
【特許文献３】実用新案登録第３０７２１１９号
【発明の開示】
【発明が解決しようとする課題】
【００１０】
本発明は、物品の出し入れ口を封止状態に保てて収容物の漏れ出しを防げ、また、上蓋をケース本体より側方に回転させ易く、上蓋の度重なる回転に伴っても出し入れ口の傷付きや摩耗の生じない物品収納用容器を提供することを課題とする。
【００１１】
それと共に、上蓋の不用意な開蓋が生ずることのない物品収納用容器を提供することを課題とする。
【課題を解決するための手段】
【００１２】
本願の請求項１は、天面側を開放した主室函と隔室し、裏面側を開放した副室函を主室函の片側部に設けたケース本体と、主室函，副室函を含むケース本体の上側に被る上蓋と、副室函の開放口を閉鎖する裏蓋とを備え、上蓋の裏面より起立する支軸を副室函の天面に開孔する軸受け孔から副室函の室内に組み付け、支軸を中心に、上蓋をケース本体より側方に回転させて開蓋可能に組み立てる回転開蓋型の物品収納用容器において、
物品の出し入れ口を開口した天面を主室函の縁回り面よりも高位の段差を保って内蓋を主室函の室内に嵌め合わせ、内蓋の段差回りに嵌り合う周回り壁を含むケース本体の囲い壁を上蓋の裏面に設け、
上蓋をケース本体と平行の上昇方向で内蓋の天面よりも高位に偏倚する圧縮コイルバネを支軸の軸線上と裏蓋の板面との間に介装し、圧縮コイルバネの偏倚に抗して上蓋を掛け止めるフックを副室函の室内で支軸の起立位置よりも主室函寄りにボタン操作で掛け外し可能に設けたことを特徴とする。
【００１３】
本願の請求項２は、支軸の回転ベース板を兼ね、圧縮コイルバネの片バネ端を受け止めるリング鍔を支軸の軸線上に嵌込み固定したことを特徴とする。
【００１４】
本願の請求項３は、上蓋の上昇偏倚より経時的に引き続き、上蓋を側方に回転偏倚する捩り圧縮コイルバネを支軸の軸線上と裏蓋の板面との間に介装したことを特徴とする。
【００１５】
本願の請求項４は、副室函の天面に開口した抜き穴から上端側を上蓋の内側に突出する撓み変位可能な短冊板を基体とし、上蓋の囲い壁より内方に突出する張出し縁と係合する掛止め爪を短冊板の上端側に設け、副室函の壁側面に開口したボタン穴にボタン押圧で没入可能に嵌め合わす押しボタンを短冊板の中腹辺に設け、押しボタンの反対側より短冊板を弾圧支持する伸長コイルバネを副室函の室内壁との間に掛け渡し、掛止め爪をボタン押圧で上蓋の張出し縁より掛け外し可能なフックを裏蓋の板面に立付け固定したことを特徴とする。
【００１６】
本願の請求項５は、支軸の起立位置を介し、上蓋を掛け止めるフックを副室函の室内で相対する裏蓋の板面両側に立付け固定したことを特徴とする。
【００１７】
本願の請求項６は、押圧面を副室函の壁外面と面一に保ってボタン穴に嵌め合わす押しボタンを指先腹による押圧で没入可能に設けたことを特徴とする。
【発明の効果】
【００１８】
本願の請求項１に係る回転開蓋型の物品収納用容器によると、物品の出し入れ口を開口した天面を主室函の縁回り面よりも高位の段差を保つ内蓋を主室函に設け、内蓋の段差回りに嵌り合う周回り壁を含むケース本体の囲い壁を上蓋の裏面に設けることから、フックによる上蓋の掛け止めと共に、内蓋の段差回りと上蓋の周回り壁との嵌り合いにより、物品の出し入れ口を封止状態に保てて収容物の漏れ出しが生じない。
【００１９】
それと共に、フックを上蓋よりボタン操作で掛け外せば、上蓋が支軸の軸線上と裏蓋の板面との間に介装した圧縮コイルバネで内蓋の天面よりも高位なケース本体と平行の上昇方向に偏倚することから、支軸を中心に、上蓋をケース本体より側方に回転させ易く、また、上蓋の度重なる回転によっても出し入れ口の傷付きや摩耗が生じない。
【００２０】
それに加えて、圧縮コイルバネの偏倚に抗して上蓋を掛け止めるフックを副室函の室内で支軸の起立位置よりも主室函寄りに設けるため、フックによる上蓋の掛け止めを圧縮コイルバネの反力で確実に保て、内蓋の段差回りと上蓋の周回り壁との嵌り合いと共に、上蓋の主室函側に浮上りが生ずるのを防げて物品の出し入れ口を封止状態に保てる。
【００２１】
本願の請求項２に係る回転開蓋型の物品収納用容器によると、支軸の回転ベース板を兼ね、圧縮コイルバネの片バネ端を受け止めるリング鍔を支軸の軸線上に嵌込み固定することから、圧縮コイルバネによる上蓋の上昇後に側方に回転にあたり、リング鍔が副室函の内部で天面に圧縮コイルバネで弾圧支持されているため、支軸を中心に、上蓋をリング鍔で安定よく容易に回転するようにできる。
【００２２】
本願の請求項３に係る回転開蓋型の物品収納用容器によると、上蓋の上昇偏倚より経時的に引き続き、上蓋を側方に回転偏倚する捩り圧縮コイルバネを介装することから、上蓋の上昇による開蓋から側方の回転による開蓋まで捩り圧縮コイルバネで自動的に付勢できる。
【００２３】
本願の請求項４に係る回転開蓋型の物品収納用容器によると、上蓋の張出し縁に掛け止める掛止め爪と、副室函の壁側面に開口したボタン穴に嵌め合わす押しボタンとを短冊板の上下で同向きに設け、短冊板を伸長コイルバネで弾圧支持するため、上蓋の張出し縁に対する掛止め爪の係合を確実に保て、また、掛止め爪の係合をボタン押圧による短冊板の撓み変位で容易に掛け外しできる。
【００２４】
本願の請求項５に係る回転開蓋型の物品収納用容器によると、支軸の起立位置を介し、上蓋を掛け止めるフックを副室函の室内で相対する裏蓋の両端側に設けることから、両側のフックを同時にボタン操作で掛け外さなければ上蓋を開蓋できず、片側の押しボタンに不用意に触れることによる開蓋の発生を防ぐようにできる。
【００２５】
本願の請求項６に係る回転開蓋型の物品収納用容器によると、押圧面を副室函の壁外面と面一に保ってボタン穴に嵌め合わす押しボタンを指先腹による押圧で没入可能に設けることから、押しボタンが突起として外表面に現れず、押しボタンに対する不用意な押圧，接触を防ぐようにできる。
【発明を実施するための最良の形態】
【００２６】
図示実施の形態は、タバコの吸殻を出し入れ可能に収容する携帯用灰皿を構成するに適用されている。この携帯用灰皿は、図１で示すようにケース本体１，上蓋２，裏蓋３を外装部品とし、上蓋２をケース本体１より側方に回転させて開蓋可能な容器として構成されている。
【００２７】
図１中、４ａは内蓋、４ｂは内蓋の天面に開口した吸殻の出し入れ口、４ｃは内蓋４ａの底板、５ａ，５ｂは上蓋２の掛止めフック、６は圧縮状態で組み付けられる圧縮コイルバネ、７ａ，７ｂは伸長状態で組み付けられる伸長コイルバネ、８ａ，８ｂは裏蓋３の止めビスを示す。
【００２８】
この組立部品のうち、ケース本体１，上蓋２，裏蓋３はプラスチック材料で形成されている。金属製の圧縮コイルバネ６、伸長コイルバネ７ａ，７ｂ、止めビス８ａ，８ｂと共に、内蓋４ａ，底板４ｃはアルミ等の金属材料で形成されている。
【００２９】
ケース本体１は、図２で示すように天面側を開放した主室函１０と隔室し、裏面を開放した副室函１１を主室函１０の片側部に設けて形成されている。主室函１０には、吸殻の出し入れ口４ｂを開口した天面を主室函１０の縁回り面よりも高位の段差（ｈ）を保ち、底面側を開放した略函形を呈する内蓋４ａが室内に嵌め合せ固定されている。底板４ｃは、主室函１０の内のりと同形の平板で内蓋４ａの底部として嵌め込み固定されている。
【００３０】
副室函１１は、後述する上蓋２の後述する支軸を室内に受け入れ、上蓋２を上昇偏倚する圧縮コイルバネ６、上蓋２を掛け止めるフック５ａ，５ｂ、フック５ａ，５ｂを弾圧支持する伸長コイルバネ７ｂ，７ｃを収容する小部屋として形成されている。
【００３１】
副室函１１の天面には、上蓋２の後述する支軸を室内に組み付ける軸受け孔１１ａが円筒ボス１１ｂとして設けられている。また、図３で示すようにフック７ａ，７ｂの先端側を上蓋２の裏側に突出させる平面四辺形の抜き穴１１ｃ，１１ｄが設けられている。副室函１１の壁側面には、フック５ａ，５ｂの後述する押しボタンを押圧没入可能に嵌め合わすボタン穴１１ｅ，１１ｆが開口されている。
【００３２】
副室函１１の室内には、図４で示すように裏蓋３のビス止め用としてビス受けボス１１ｇ，１１ｈが天面より起立させて設けられている。各ビス受けボス１１ｇ，１１ｈは、隔室壁１２（図２参照）と副室函１１の外回り壁（符号なし）との間に橋絡するリブ状の室内壁１１ｉ，１１ｊで補強されている。この他に、ストラップ等の掛け下げ具（図示せず）を取り付ける切欠穴１１ｋが外回り壁の下端縁に設けられている。
【００３３】
上蓋２の裏面側には、図５で示すように支軸２０が副室函１１の軸受け孔１１ａと嵌り合うよう天面から起立させて設けられている。この支軸２０は、軸受け孔１１ａとのクリアランスを小さく保つべく太径のものでしかも軽量化から円筒状に形成されている。支軸２０には、副室函１１の軸受け孔１１ａより室内に組み付けた軸端側に嵌め込み固定されるリング鍔２１（図１参照）が備えられている。
【００３４】
上蓋２の裏面側には、図６で示すように内蓋４ａの段差回りに嵌り合う周回り壁２２ａを含むケース本体１の囲い壁２２が設けられている。また、周回り壁２２ａより連続する縁回り壁２２ｂが副室函１１の外周縁と整合するよう設けられている。支軸２０を隔てた縁回り壁２２ｂの両側には、フック５ａ，５ｂを掛け止める張出し縁２３ａ，２３ｂが設けられている。支軸２０を取り囲む周辺面２４は、円筒ボス１１ｂを受け入れる奥行きを深く取ってデザイン的にも体裁よくするべく膨出させて形成されている。
【００３５】
上蓋２の外形は、図７で示すように主室函側でケース本体１の外形よりも小さい輪郭形状（ｇ）に形成されている。この輪郭形状は、上蓋２の押上げ力がケース本体側より加わらないよう設計されている。
【００３６】
裏蓋３は副室函１１の開放口に嵌り合う平板状のもので、図８で示すようにフック５ａ，５ｂを短冊板５０の下端側で立て付け固定する枠縁３０，３１が板面両端寄りに設けられている。板面中央には、圧縮コイルバネ６のバネ端を嵌め合わせる受け座３２が設けられている。受け座３２を隔てた両側の板面には止めビスの差込み孔３３，３４が、また、外周縁より張り出させて副室函１１の切欠穴１１ｋを底付けする突片３５が設けられている。
【００３７】
フック５ａ（５ｂ）は、図９で示すような共通した形状，構造を有し、副室函１１の抜き穴１１ｃ，１１ｄから上端側を上蓋２の裏側に突出する撓み変位可能な短冊板５０を基体として形成されている。短冊板５０の上端側には、上蓋２の張出し縁２３ａ，２３ｂと係合する掛止め爪５１が設けられている。中腹辺には、副室函１１のボタン穴１１ｅ，１１ｆにボタン押圧で没入可能に嵌め合わす押しボタン５１が設けられている。また、押しボタン５１の反対側より突出させて伸長コイルバネ７ａ，７ｂの支ピン５２が設けられている。
【００３８】
フック５ａ，５ｂは、図１０で示すように相反対向きに向けて短冊板５０の下端側を枠縁３０，３１に嵌着することから裏蓋３の板面上に立て付け固定されている。また、短冊板５０を弾圧支持する伸長コイルバネ７ａ，７ｂが副室函１１の壁状リブ１１ｉ，１１ｊとの間に掛け渡せるよう押しボタン５１の反対側に組み付けられている。
【００３９】
上述した各部から携帯用灰皿を組み立てるに副室函側を主に説明すると、図１１で示すように上蓋２の支軸２０を副室函１１の軸受け孔１１ａより室内に組み付け、リング鍔２１を副室函１１の開放口より支軸２０の下端側に嵌め込み固定する。次に、圧縮コイルバネ６をバネ端でリング鍔２１に当接させてリング鍔２１の下側に嵌め込み組み付ける。
【００４０】
続いて、図１２で示すように伸長コイルバネ７ａ，７ｂを備えたフック５ａ，５ｂの掛止め爪５１より上端側を副室函１１の抜き穴１１ｃ，１１ｄより上蓋２の裏側に突出させると共に、押しボタン５２を壁側面のボタン穴１１ｅ、１１ｆに嵌め合わせてフック５ａ，５ｂを副室函１１の壁内面に組み付け、伸長コイルバネ７ａ，７ｂを室内の壁状リブ１１ｈ，１１ｉとの間に掛け渡す。
【００４１】
最後に、圧縮コイルバネ６をバネ端で裏蓋３の受け座３２に嵌め込み、フック５ａ，５ｂを短冊板５０の下端側で裏蓋３の枠縁３０，３１に嵌め合わせ、裏蓋３を差込み孔３３，３４よりビス受けボス１１ｇ，１１ｈに螺入する止めビス８ａ，８ｂで副室函１１の開放口に締付け固定する。
【００４２】
このように構成する携帯用灰皿では、上蓋２を掛け止めるフック５ａ，５ｂが副室函１１の室内で支軸２０よりも主室函１０に近い隔室壁１２の壁寄りに配置されている。フック５ａ，５ｂでは、掛止め爪５１が上蓋２の張出し縁２３ａ，２３ｂと上側で係合し、押しボタン５２が副室函１１のボタン穴１１ｅ，１１ｆと下側で嵌り合っている。押しボタン５２は、押圧面を副室函１１の壁外面と面一に保って指先腹による押圧で没入可能に嵌め合わされている。
【００４３】
この携帯用灰皿によると、内蓋４ａが出し入れ口４ｂを開口した天面を主室函１０の縁回り面よりも高位の段差（ｈ）を保ち、内蓋４ａの段差回りに嵌り合う周回り壁２２ａが上蓋２の裏面に設けられているため、フック５ａ，５ｂによる上蓋２の掛け止めと共に、内蓋４ａの段差回りと上蓋２の周回り壁２２ａとの嵌り合いにより、物品の出し入れ口４ｂを封止状態に保てて灰の漏れ出しを防げる。
【００４４】
それに加えて、圧縮コイルバネ６の偏倚に抗して上蓋２を掛け止めるフック５ａ，５ｂが副室函１１の室内で支軸２０の起立位置よりも主室函寄りに設けられているため、フック５ａ，５ｂによる上蓋２の掛け止めを圧縮コイルバネ６の反力で確実に保て、内蓋４ａの段差回りと上蓋２の周回り壁２２との嵌り合いと共に、上蓋２の主室函側が浮き上がるのを抑えられて物品の出し入れ口４ｂを封止状態に保てる。
【００４５】
フック５ａ，５ｂでは、上蓋２の張出し縁２３ａ，２３ｂに係合する掛止め爪５１と、副室函１１の壁側面に開口したボタン穴１１ｅ，１１ｆに嵌り合う押しボタン５２とが短冊板５０の上下で同向きに向いて吊り合い、短冊板５０が伸長コイルバネ７ａ，７ｂで弾圧支持されていることと共に、上蓋２の張出し縁２３ａ，２３ｂに対する掛止め爪５１の係合を確実に保てる。
【００４６】
上蓋２を開蓋するには、押しボタン５２をボタン穴１１ｅ，１１ｆより指先腹による押圧で没入させることから、短冊板５０の上端側を副室函１１の内方に撓み変位させてフック５ａ，５ｂの掛止め爪５１を上蓋２の張出し縁２３ａ，２３ｂより掛け外せばよい。その押しボタン５２は、押圧面が副室函１１の壁外面と面一に保ってボタン穴１１ｅ，１１ｆに嵌め合わされているから、突起物として外表面に現れず、押しボタンに対する不用意な押圧，接触を防ぐようにできる。
【００４７】
上蓋の開蓋にあたっては、支軸２０の起立位置を介し、上蓋２を掛け止めるフック５ａ，５ｂが副室函１１の室内で相対する裏蓋３の両端側に設けられているため、両側のフック５ａ，５ｂを同時にボタン操作で掛け外さなければ上蓋２を開蓋できない。これにより、片側の押しボタンに不用意に触れることによる開蓋の発生を防ぐようにできる。
【００４８】
フック５ａ，５ｂを上蓋２から外すと、図１３で示すように上蓋２が支軸２０の軸線上と裏蓋３の板面との間に介装した圧縮コイルバネ６で内蓋４ａの天面よりも高位（Ｈ）なケース本体１と平行の上昇方向に変位することにより開蓋できる。この開蓋状態では、上蓋２が内蓋４ａの天面よりも高位（Ｈ）に上昇位置しているため、図１４で示すように上蓋２をケース本体１より側方に指押しで回転させ易く、また、上蓋２の度重なる回転によっても出し入れ口の傷付きや摩耗が生じない。
【００４９】
上蓋２の回転にあたっては、リング鍔２１が副室函１１の内部で天面に圧縮コイルバネ６で弾圧支持されているため、支軸２０を中心に、上蓋２をリング鍔２１で安定よく容易に回転するようにできる。閉蓋にあたっては、上蓋２をケース本体１の輪郭形状と合わせるよう回転戻しすると共に、上蓋２を支軸相当付近で押し下げれば、フック５ａ，５ｂが上蓋２を再度掛け止めることから、物品の出し入れ口４ｂを元の封止状態に保てる。
【００５０】
上述した実施の形態では、一つの掛止め爪５１を設けたフック５ａ，５ｂを備え付けたが、図１５で示すように短冊板５０に設ける一つの押しボタン５２に対して長手方向前後に亘る二つの掛止め爪５１ａ，５１ｂを設けたフック５ａ（５ｂ）を備えるようにもできる。これによると、上蓋２の主室函側が浮き上がるのをより確実に抑えられ、物品の出し入れ口４ｂを封止状態に保てる。
【００５１】
圧縮コイルバネ６としては、上蓋２を上昇方向のみに偏倚する通常の螺旋形態のものを備え付けたが、図１６で示すように下部側６ａ’を通常の螺旋形態に形成し、螺旋軸を斜めに捩った螺旋形態の上部側６ｂ’を形成した捩り圧縮コイルバネ６’を介装することもできる。これによると、上蓋２の上昇偏倚と経時的に引き続き、上蓋２を側方に回転偏倚する捩り作用を発揮することから、上蓋２の上昇による開蓋から側方の回転による開蓋まで捩り圧縮コイルバネ６’で自動的に付勢できる。
【００５２】
上蓋２においては、図１７で示すように内蓋４ａの出し入れ口４ｂと整合する嵌り蓋２５を内面側に取り付けるようにできる。この嵌り蓋２５としては、内蓋４ａの出し入れ口４ｂを形成するに切り抜いた抜き板を上蓋２の内面側に接着固定することで設けられる。
【００５３】
上蓋２の密閉性を更に確保するため、図１８で示すように内蓋４ａの天面よりも上方に突出する内外の立上り縁１０ａ，１０ｂを主室函１０の端部面に設けると共に、立上り縁１０ａ，１０ｂの間に嵌り合う突条縁２２ｃを囲い壁２２の端部面に設けるようにもできる。この場合、立上り縁１０ａ，１０ｂの高さ分だけ上蓋２の内面との間隔が広くなることから、嵌り蓋２５は難燃シート２６を介在させて上蓋２の内面側に接着固定すればよい。
【００５４】
上述した実施の形態は携帯用灰皿に基づいて説明したが、内蓋，底板を含むケース本体、内蓋に設ける物品の出し入れ口、上蓋を形状的，形態的に適宜設計変更することにより、錠剤や粒状菓子等の物品を収容するケースとしても適用できる。
【図面の簡単な説明】
【００５５】
【図１】本発明に係る物品収納用容器を部品単位に展開させて示す俯角斜視図である。
【図２】図１のケース本体を示す断面図である。
【図３】図２のケース本体を示す平面図である。
【図４】図２のケース本体を示す背面図である。
【図５】図１の上蓋を示す断面図である。
【図６】図５の上蓋を示す背面図である。
【図７】図５の上蓋をケース本体と共に示す平面図である。
【図８】図１の裏蓋を示す俯角斜視図である。
【図９】図１のフックを示す俯角斜視図である。
【図１０】図９の裏蓋をフックの組付け状態で示す俯角斜視図である。
【図１１】図１の各部から組み立てた物品収納用容器を示す断面図である。
【図１２】図１１の容器を副室函の幅方向で示す断面図である。
【図１３】図１１の容器を上蓋の上昇開蓋状態で示す側面図である。
【図１４】図１３の容器を上蓋の側方回転状態で示す平面図である。
【図１５】図９のフックと別の形態に係るフックを示す俯角斜視図である。
【図１６】図１の圧縮コイルバネと別の形態に係る圧縮コイルバネを示す俯角斜視図である。
【図１７】図１１の容器と別の形態に係る嵌り蓋を上蓋に設けた容器の断面図である。
【図１８】図１７の容器と別の形態に係る上蓋の密閉構造を設けた容器の断面図である。
【符号の説明】
【００５６】
１            ケース本体
２            上蓋
３            裏蓋
４ａ          内蓋
４ｂ          物品の出し入れ口
５ａ，５ｂ    フック
６            圧縮コイルバネ
７ａ，７ｂ    伸長コイルバネ
１０          ケース本体の主室函
１１          ケース本体の副室函
１１ａ        上蓋支軸用の軸受け孔
１１ｃ，１１ｄ    フック突出用の抜き穴
１１ｅ，１１ｆ    押しボタンのボタン穴
２０          上蓋の支軸
２１          支軸のリング鍔
５０          フックの短冊板
５１          フックの掛止め爪
５２          フックの押しボタン
【図１】
2009107697.tif 000003
【図２】
2009107697.tif 000004
【図３】
2009107697.tif 000005
【図４】
2009107697.tif 000006
【図５】
2009107697.tif 000007
【図６】
2009107697.tif 000008
【図７】
2009107697.tif 000009
【図８】
2009107697.tif 000010
【図９】
2009107697.tif 000011
【図１０】
2009107697.tif 000012
【図１１】
2009107697.tif 000013
【図１２】
2009107697.tif 000014
【図１３】
2009107697.tif 000015
【図１４】
2009107697.tif 000016
【図１５】
2009107697.tif 000017
【図１６】
2009107697.tif 000018
【図１７】
2009107697.tif 000019
【図１８】
2009107697.tif 000020